(57)【要約】磁気遮蔽用ハイブリッドメタルシート及びこれを含む無線電力伝送モジュールが提供される。本発明の一実施形態に従う磁気遮蔽用ハイブリッドメタルシートは、第１幅を有する非晶質合金のリボンシートからなる第１シート層；及び前記第１シート層の一面に多層に積層される複数個の第２シート層；を含み、前記第２シート層は前記第１幅より狭い第２幅を有し、ナノ結晶粒合金のリボンシートからなる複数個の分割シートが同一平面上に配置されて形成されたシート層でありうる。
2019522355.tif 000002
【特許請求の範囲】
【請求項１】
第１幅を有する非晶質合金のリボンシートからなる第１シート層と、前記第１シート層の一面に多層に積層される複数個の第２シート層とを含み、前記第２シート層は前記第１幅より狭い第２幅を有し、ナノ結晶粒合金のリボンシートからなる複数個の分割シートが同一平面上に配置されて形成されたシート層である、磁気遮蔽用ハイブリッドメタルシート。
【請求項２】
前記第２シート層は、複数個の分割シートがｍ×ｎの行列構造で配列された形態であり、ここで、ｍ、ｎは自然数である、請求項１に記載の磁気遮蔽用ハイブリッドメタルシート。
【請求項３】
前記第１シート層は、前記第２シート層の一側のみに配置される、請求項１に記載の磁気遮蔽用ハイブリッドメタルシート。
【請求項４】
前記第１シート層は、複数個が多層に積層される、請求項３に記載の磁気遮蔽用ハイブリッドメタルシート。
【請求項５】
前記複数個の第２シート層は、２つの第１シート層の間に配置される、請求項１に記載の磁気遮蔽用ハイブリッドメタルシート。
【請求項６】
前記複数個の第２シート層は、各々の層を構成するための複数個の分割シートが前記第１シート層の幅方向または長手方向に沿って互いに同一な方向に配置される、請求項１に記載の磁気遮蔽用ハイブリッドメタルシート。
【請求項７】
前記複数個の第２シート層のうち、いずれか１つの第２シート層を構成する２つの分割シートの間に形成される境界領域は、前記いずれか１つの第２シート層の上部または下部に配置される他の第２シート層を構成する分割シートの間に形成される境界領域と連続的または非連続的である、請求項６に記載の磁気遮蔽用ハイブリッドメタルシート。
【請求項８】
前記複数個の第２シート層のうち、いずれか１つの第２シート層を構成するための複数個の分割シートは、第１方向に沿って配列され、前記いずれか１つの第２シート層の上部及び下部のうち、少なくともいずれか一側に配置されて他の第２シート層を構成する複数個の分割シートは、前記第１方向と異なる第２方向に沿って配列される、請求項１に記載の磁気遮蔽用ハイブリッドメタルシート。
【請求項９】
前記複数個の第２シート層は、３層乃至１０層の多層に積層される、請求項１に記載の磁気遮蔽用ハイブリッドメタルシート。
【請求項１０】
前記非晶質合金は、Ｆｅ系非晶質合金である、請求項１に記載の磁気遮蔽用ハイブリッドメタルシート。
【請求項１１】
少なくとも１つの無線電力伝送用アンテナを含むアンテナユニットと、前記アンテナユニットの一面に配置される請求項１乃至１０のうち、いずれか一項に記載された磁気遮蔽用ハイブリッドメタルシートとを含む、無線電力伝送モジュール。
【請求項１２】
前記アンテナユニットは、前記無線電力伝送用アンテナと異なる周波数帯域を使用する少なくとも１つの他のアンテナをさらに含む、請求項１１に記載の無線電力伝送モジュール。
【請求項１３】
前記他のアンテナは、ＮＦＣ用アンテナまたはＭＳＴ用アンテナである、請求項１２に記載の無線電力伝送モジュール。
【発明の詳細な説明】
【技術分野】
【０００１】
本発明は磁気遮蔽用遮蔽シートに関し、より詳しくは、磁気遮蔽用ハイブリッドメタルシート及びこれを含む無線電力伝送モジュールに関する。
【背景技術】
【０００２】
一般に、アンテナは電気的な信号を電波信号に変化させる装置をいう。最近には、これらアンテナを活用して各種携の帯端末機器（スマートフォン、タブレットＰＣなど）を含む電子機器を通じて近距離無線通信（ＮＦＣ：Near Field Communication）、無線電力伝送（ＷＰＴ：Wireless Power Transmission）、マグネチック保安伝送（ＭＳＴ：Magnetic security Transmission）機能を複合化する試みが続いている。
【０００３】
前述したアンテナが含まれた電子機器は、アンテナの作動時に発生する磁場によって電子機器内に含まれた他の部品の機能低下や人体に有害な影響を及ぼすことがあるので、これを解決するために磁場遮蔽シートを使用している。
【０００４】
即ち、磁場遮蔽シートは磁場を遮蔽して電子機器内の他の部品を磁場から隔離させる役割と共に、磁場を所要の方向に集束させることによって、互いにマッチングされるアンテナの送受信交信向上、磁場による他部品の機能低下を防止することができる。
【０００５】
この際、使われる磁場遮蔽シートが特定の周波数帯域のみで優れる透磁率を有する場合には、次のような問題点がある。
即ち、互いに異なる周波数帯域を使用する近距離無線通信（ＮＦＣ）、無線電力伝送（ＷＰＴ）、及びマグネチック保安伝送（ＭＳＴ）機能が複合化されたアンテナが１つの電子機器に内蔵される場合、複合化された各々のアンテナ機能のうち、いずれか１つの機能のみを維持または向上させることができるだけであり、他のアンテナの機能を維持または向上させることは非常に難しいという問題点がある。
【０００６】
これを解決するために、Ｆｅ系非晶質リボンシートで磁場遮蔽シートを具現しようとする試みがあったが、Ｆｅ系非晶質リボンシートの場合、１ＭＨｚ以下の低周波帯域で飽和磁束密度が高くて優れる性能を発揮するが、１ＭＨｚ以上の高周波帯域での特性は悪いという短所がある。
【０００７】
一方、ナノ結晶粒合金のリボンシートからなる磁場遮蔽シートは、Ｆｅ系非晶質リボンシートに比べて高周波帯域で投資損失率が低いので、高周波帯域を使用するアンテナの性能向上に適合した長所がある。しかしながら、ナノ結晶粒合金のリボンシートは急速冷却や熱処理などを伴う製造工程の特性上、６０ｍｍ以上の広い幅で製造する場合、生産コストが高まる問題点がある。
【発明の概要】
【発明が解決しようとする課題】
【０００８】
本発明は、前記のような問題点を解決するためのものであって、狭い幅、一例に、６０ｍｍ以下の幅を有するナノ結晶粒合金のリボンシートを使用して遮蔽シートが具現できることによって、生産コストを減らし、かつ複合アンテナに使用することができる磁気遮蔽用ハイブリッドメタルシートを提供することをその目的とする。
【０００９】
また、本発明は前述した磁気遮蔽用ハイブリッドメタルシートを通じて無線電力伝送モジュールを具現することによって、軽薄短小化された電子機器に適用できる無線電力伝送モジュールを提供することを他の目的とする。
【課題を解決するための手段】
【００１０】
前記のような目的を達成するために、本発明は第１幅を有する非晶質合金のリボンシートからなる第１シート層；及び前記第１シート層の一面に多層に積層される複数個の第２シート層；を含み、前記第２シート層は前記第１幅より狭い第２幅を有し、ナノ結晶粒合金のリボンシートからなる複数個の分割シートが同一平面上に配置されて形成されたシート層である磁気遮蔽用ハイブリッドメタルシートを提供する。
【００１１】
また、前記第２シート層は複数個の分割シートがｍ×ｎの行列構造で配列された形態でありうる（ここで、ｍ、ｎは自然数である）。一例に、前記第２シート層は複数個の分割シートが４×２または６×１の行列構造で配列されたシート層で具現できる。
【００１２】
また、前記第１シート層は前記第２シート層の一側のみに配置できる。この際、前記第１シート層は断層でありうるが、複数個の第１シート層が第２シート層の一側に多層に積層されることもできる。
【００１３】
また、前記複数個の第２シート層は２つの第１シート層の間に配置できる。
また、前記複数個の第２シート層は各々の層を構成するための複数個の分割シートが前記第１シート層の幅方向または長手方向に沿って互いに同一な方向に配置できる。
【００１４】
また、前記複数個の第２シート層のうち、いずれか１つの第２シート層を構成する２つの分割シートの間に形成される境界領域は、前記いずれか１つの第２シート層の上部または下部に配置される他の第２シート層を構成する分割シートの間に形成される境界領域と連続的または非連続的でありうる。
【００１５】
また、前記複数個の第２シート層のうち、いずれか１つの第２シート層を構成するための複数個の分割シートは第１方向に沿って配列されることができ、前記いずれか１つの第２シート層の上部及び下部のうち、少なくともいずれか一側に配置されて他の第２シート層を構成する複数個の分割シートは前記第１方向と異なる第２方向に沿って配列できる。
【００１６】
また、前記複数個の第２シート層は、３層乃至１０層の多層に積層できる。
また、前記非晶質合金はＦｅ系非晶質合金でありうる。
一方、本発明は少なくとも１つの無線電力伝送用アンテナを含むアンテナユニット；及び前記アンテナユニットの一面に配置される前述した磁気遮蔽用ハイブリッドメタルシート；を含む無線電力伝送モジュールを提供する。
【００１７】
また、前記アンテナユニットは前記無線電力伝送用アンテナと異なる周波数帯域を使用する少なくとも１つの他のアンテナをさらに含むことができ、前記他のアンテナはＮＦＣ用アンテナまたはＭＳＴ用アンテナでありうる。
【発明の効果】
【００１８】
本発明によれば、６０ｍｍ以下の狭い幅を有するナノ結晶粒合金のリボンシートを使用して遮蔽シートが具現できることによって、生産コストを減らし、かつ複合アンテナに効率のよい適用が可能である。これによって、軽薄短小化された電子機器に適用できる。
【図面の簡単な説明】
【００１９】
【図１】本発明の第１実施形態に従う磁気遮蔽用ハイブリッドメタルシートを示す図である。
【図２】図１の分離図である。
【図３】図１で、“Ａ”部分の拡大断面図である。
【図４】図１の変形例を示す“Ａ”部分の拡大断面図である。
【図５】本発明の第２実施形態に従う磁気遮蔽用ハイブリッドメタルシートを示す図である。
【図６】図５の分離図である。
【図７】図５で、“Ｂ”部分の拡大断面図である。
【図８】図５の変形例を示す“Ｂ”部分の拡大断面図である。
【図９】本発明の第３実施形態に従う磁気遮蔽用ハイブリッドメタルシートを示す図である。
【図１０】図９の分離図である。
【図１１】本発明の第４実施形態に従う磁気遮蔽用ハイブリッドメタルシートを示す断面図である。
【図１２】本発明に従う磁気遮蔽用ハイブリッドメタルシートが適用された無線電力伝送モジュールを示す概略図である。
【図１３】本発明に従う無線電力伝送モジュールが携帯端末機に適用された使用状態図である。
【発明を実施するための形態】
【００２０】
以下、添付した図面を参考にして本発明の実施形態に対して本発明が属する技術分野で通常の知識を有する者が容易に実施することができるように詳細に説明する。本発明はさまざまな相異する形態に具現されることができ、ここで説明する実施形態に限定されるものではない。図面で本発明を明確に説明するために、説明と関係ない部分は省略し、明細書全体を通じて同一または類似の構成要素に対しては同一な参照符号を付加する。
【００２１】
本発明の一実施形態に従う磁気遮蔽用ハイブリッドメタルシート１１０、１１０'、２１０、２１０'、３１０は、図１から図１０に図示したように、第１シート層１１１及び複数個の第２シート層１１２を含むことができる。
【００２２】
この際、前記第１シート層１１１と第２シート層１１２は互いに異なる材質からなることができ、前記第１シート層１１１は非晶質合金のリボンシートであり、前記第２シート層１１２はナノ結晶粒合金のリボンシートでありうる。
【００２３】
本発明で、前記非晶質合金のリボンシートは公知のＦｅ系非晶質合金のリボンシートでありうる。具体的な一例に、前記Ｆｅ系非晶質合金は、鉄（Ｆｅ）、珪素（Ｓｉ）、及び硼素（Ｂ）を含む３元素系合金であり、鉄（Ｆｅ）、珪素（Ｓｉ）、硼素（Ｂ）、銅（Ｃｕ）、及びニオビウム（Ｎｂ）を含む５元素系合金でありうる。併せて、前記ナノ結晶粒合金のリボンシートはＦｅ系非晶質合金を熱処理したリボンシートであり、Ｃｏ系非晶質合金を熱処理したリボンシートでありうる。
【００２４】
これは、本発明に従う磁気遮蔽用ハイブリッドメタルシート１１０、１１０'、２１０、２１０'、３１０が低周波帯域を使用するアンテナと高周波帯域を使用するアンテナを全て含むアンテナユニットに適用される場合、低周波帯域を使用するアンテナは勿論、高周波帯域を使用するアンテナの性能を全て高めることができるようにするためである。
【００２５】
ここで、前記低周波帯域を使用するアンテナは１００〜３５０ｋＨｚを使用する磁気誘導方式の無線電力伝送（wireless power transfer）用アンテナ１２１であることも、１００ｋＨｚ以下の周波数を使用するマグネチック保安伝送（magnetic secure transmission）用アンテナ１２２であることもあり、前記高周波帯域を使用するアンテナは１３．５６ＭＨｚを使用する近距離通信（Near Field Communicatuion）用アンテナ１２３であることも、６．７８ＭＨｚを使用する磁気共振方式の無線電力伝送（wireless power transfer）用アンテナであることもある（図１２参照）。併せて、磁気誘導方式の無線電力伝送（wireless power transfer）用アンテナ１２１は永久磁石を使用する無線電力伝送モジュールに含まれたアンテナでありうる。
【００２６】
前記Ｆｅ系非晶質リボンシートの場合、１ＭＨｚ以下の低周波帯域で飽和磁束密度が高くて優れる性能を発揮できることによって、１ＭＨｚ以下の低周波帯域を使用するアンテナの性能向上に適合する。
【００２７】
また、前記ナノ結晶粒合金のリボンシートはＦｅ系非晶質リボンシートに比べて高周波帯域で投資損失率が低いので、非晶質合金のリボンシートより相対的に高周波帯域でも一定水準以上の優れる性能が発揮できることによって、高周波帯域を使用するアンテナの性能向上に適合した長所がある。
【００２８】
これによって、本発明に従う磁気遮蔽用ハイブリッドメタルシート１１０、１１０’、２１０、２１０’、３１０は、非晶質合金のリボンシートからなる第１シート層１１１を通じて低周波帯域で作動するアンテナの性能を高めることができ、ナノ結晶粒合金のリボンシートからなる第２シート層１１２を通じて高周波帯域で作動するアンテナの性能を全て高めることができるので、１つのシートを通じて低周波帯域は勿論、高周波帯域でも一定水準以上の性能を発現することができる。
【００２９】
一方、前記第１シート層１１１は第１幅を備えて所定面積を有する板状のリボンシートであることがあり、前記第２シート層１１２は第２幅を備えてナノ結晶粒合金のリボンシートからなる複数個の分割シート１１２ａ、１１２ａ'が隣り合うように配置されて一層を構成する形態でありうる。
【００３０】
ここで、前記複数個の分割シート１１２ａ、１１２ａ'は、図１及び図２に図示したように、前記第１シート層１１１の全体長さより短い長さを有するように備えられることもでき、図５及び図６に図示したように、前記第１シート層１１１の全体長さと略同一な長さを有するように備えられることもできる。
【００３１】
併せて、前記第１幅は第１シート層１１１の全体幅と同一なサイズであることも、前記第２幅は前記第２シート層１１２の全体幅より小さなサイズであることも、前記第２幅は前記第１幅より相対的に小さなサイズであることもある。
【００３２】
通常的に、非晶質合金のリボンシートは６０ｍｍ以上の幅を有するように製造されても９０ｍｍ以下の幅を有するように製造する場合に比べて生産コストが似ているか、大きな差がないが、ナノ結晶粒合金のリボンシートは６０ｍｍを超過する幅を有するように製造する場合、６０ｍｍ以下の幅を有するように製造する場合に比べて生産コストが格段に増加する問題がある。
【００３３】
本発明では、このような問題点を解決するために、ナノ結晶粒合金のリボンシートを小さい幅、一例に、６０ｍｍ以下の幅を有する分割シート１１２ａ、１１２ａ'で形成し、複数個の分割シート１１２ａ、１１２ａ'を同一平面上で隣り合うように配置して第２シート層１１２を構成することによって、小さい幅を有するナノ結晶粒合金のリボンシートを使用することができるので、生産コストの上昇を防止することができる。
【００３４】
この際、本発明に従う磁気遮蔽用ハイブリッドメタルシートは複数個の第２シート層１１２が多層に積層された形態でありうる。
一例に、本発明に従う磁気遮蔽用ハイブリッドメタルシートは複数個の分割シート１１２ａ、１１２ａ'が同一平面上で隣り合うように配置されて一層を構成する各々の第２シート層１１２が２層以上の多層に積層された形態でありうる。一例に、複数個の第２シート層１１２が３層乃至１０層の多層に積層された形態でありうる。
【００３５】
しかしながら、前記第２シート層の全体の積層数はこれに限定するものではなく、設計条件によって多様な層数に積層できることを明らかにする。併せて、各々の第２シート層１１２を構成する複数個の分割シート１１２ａ、１１２ａ'は同一な幅を有することもでき（図３、図４、及び図７参照）、互いに異なる幅を有することもできる（図８参照）。
【００３６】
ここで、互いに積層される一対の第２シート層１１２の間には接着層１１３が各々配置されることができ、前記接着層１１３はフィルム形態の基材と、前記基材の少なくとも一面に接着剤が塗布された形態であることも、粘着または接着性を有する液状またはゲル状の接着剤であることもあり、非伝導性成分を含むこともできる。
【００３７】
このような場合、前記接着剤は隣り合う２つの分割シートの間に形成される境界領域（Ｓ１、Ｓ２、Ｓ３）側に一部が入り込むことができ、前記接着剤に非伝導性成分が含まれた場合、前記境界領域（Ｓ１、Ｓ２、Ｓ３）に入り込んだ接着剤を通じて隣り合う一対の分割シート１１２ａ、１１２ａ'が互いに絶縁されることもできる。
【００３８】
併せて、同一平面上で隣り合うように配置される複数個の分割シート１１２ａ、１１２ａ'のうち、隣り合う２つの分割シートは一端が互いに直接接触するように配置されることもでき、互いに間隔を置いて離隔配置されることもできる。
【００３９】
一実施形態として、本発明に従う磁気遮蔽用ハイブリッドメタルシート１１０、１１０'は図１から図４に図示したように、第１シート層１１１の一面に複数個の第２シート層１１２が多層に積層された形態でありうる。
【００４０】
この際、各々の第２シート層１１２を形成する複数個の分割シート１１２ａは前記第１シート層１１１の長さより短い長さを有するように備えられることができ、ｍ×ｎの行列構造で配列できる（ｍ、ｎは自然数）。一例に、前記複数個の分割シート１１２ａは互いに同一な幅と長さを有する８個が隣り合うように４×２の行列構造で配列されることによって、各々の第２シート層１１２を構成することができ、互いに積層される各々のシート層（１１１、１１２）（１１２、１１２）の間には接着層１１３が各々配置できる。
【００４１】
しかしながら、前記第２シート層１１２を構成する複数個の分割シート１１２ａの個数をこれに限定するものではなく、多様な個数が使用できることを明らかにする。併せて、多層に構成された複数個の第２シート層１１２は同一な行列構造からなることもでき、互いに異なる行列構造からなることもできる。一例に、４×２の行列構造からなる第２シート層と２×４の行列構造からなる第２シート層が交互する形態に積層されることもできる。
【００４２】
この際、前記複数個の第２シート層１１２のうち、いずれか１つの第２シート層１１２を構成するために、隣り合うように配置される一対の分割シート１１２ａの間に形成される境界領域（Ｓ２）は、前記いずれか１つの第２シート層１１２の上部または下部に配置される他の第２シート層１１２を構成するために、隣り合うように配置される一対の分割シート１１２ａの間に形成される境界領域（Ｓ１、Ｓ３）と連続するように配列されることもできるが（図３参照）、連続しないように配列されることもできる（図４参照）。
【００４３】
言い換えると、複数個の第２シート層１１２のうち、いずれか１つの第２シート層１１２の上部及び下部に各々配置される他の第２シート層１１２に形成される境界領域（Ｓ１、Ｓ３）は、同一直線上に位置することもあり、同一直線上に位置しないこともある。
【００４４】
好ましくは、複数個の第２シート層１１２が多層に積層される場合、各々の第２シート層１１２を構成するために、隣り合うように配置される一対の分割シート１１２ａの間に形成される各々の境界領域（Ｓ１、Ｓ２、Ｓ３）は第２シート層１１２の積層方向に沿ってジグザグ方式により形成できる。
【００４５】
これは、水平な方向に配列される一対の分割シート１１２ａの間に形成される境界領域（Ｓ２）が上部または下部に積層される他の分割シート１１２ａにより常に覆われて支持できるようにすることによって、第２シート層１１２の間の接着力の向上を図り、構造的な剛性を高めることができるようにするためである。
【００４６】
一方、前記第２シート層１１２の一側に配置される第１シート層１１１は単層に構成されることもできるが、複数個の第１シート層１１１が多層に積層された形態でありうる。一例に、本発明に従う磁気遮蔽用ハイブリッドメタルシート１１０、１１０'は３層に構成された第２シート層１１２の一面に２層に構成された第１シート層１１１が積層された５層構造からなることができる。
【００４７】
このような場合、前記第１シート層１１１と反対側に配置される第２シート層１１２の露出面には接着層１１３を媒介に別途の保護フィルム１１４が付着できる。
他の実施形態として、本発明に従う磁気遮蔽用ハイブリッドメタルシート２１０、２１０’、３１０は、図５から図１０に図示したように、２つの第１シート層１１１の間に複数個の第２シート層１１２が多層に積層された形態であって、各々の第２シート層１１２を形成する複数個の分割シート１１２ａ’は前記第１シート層１１１の一方向に沿って隣り合うように配置できる。
【００４８】
具体的に、各々の第２シート層１１２を形成する複数個の分割シート１１２ａ’は、前記第１シート層１１１の幅方向と長手方向のうち、いずれか一方向に沿って同一な方向に隣り合うように配置されることによって、１つの第２シート層１１２を形成することができる（図５から図８参照）。
【００４９】
即ち、各々の第２シート層１１２を形成する全ての分割シート１１２ａ’は、前記第１シート層１１１の幅方向に沿って平行に配列されるか、または前記第１シート層１１１の長手方向に沿って平行に配列されることができ、各々のシート層（１１１、１１２）（１１２、１１２）の間には接着層１１３が配置できる。
【００５０】
この際、前記複数個の第２シート層１１２のうち、いずれか１つの第２シート層１１２を構成するために隣り合うように配置される一対の分割シート１１２ａ’の間に形成される境界領域（Ｓ２）は、前記いずれか１つの第２シート層１１２の上部または下部に配置される他の第２シート層１１２を構成するために、隣り合うように配置される一対の分割シートの間に形成される境界領域（Ｓ１、Ｓ３）と連続するように配列されることもできるが（図３参照）、連続しないように配列できる（図７及び図８参照）。
【００５１】
言い換えると、複数個の第２シート層１１２のうち、いずれか１つの第２シート層１１２の上部及び下部に各々配置される他の第２シート層１１２に形成される境界領域（Ｓ１、Ｓ３）は同一直線上に位置することもあり、同一直線上に位置しないこともある。
【００５２】
好ましくは、複数個の第２シート層１１２が多層に積層される場合、各々の第２シート層１１２を構成するために隣り合うように配置される一対の分割シート１１２ａの間に形成される各々の境界領域（Ｓ１、Ｓ２、Ｓ３）は、第２シート層１１２の積層方向に沿ってジグザグ方式により形成できる。
【００５３】
これは、水平な方向に配列される一対の分割シート１１２ａの間に形成される境界領域（Ｓ２）が上部または下部に積層される他の分割シート１１２ａにより常に覆われて支持できるようにすることによって、第２シート層１１２の間の接着力の向上を図り、構造的な剛性を高めることができるようにするためである。
【００５４】
更に他の実施形態として、本発明に従う磁気遮蔽用ハイブリッドメタルシート３１０は、図９及び図１０に図示したように、多層に積層される複数個の第２シート層１１２のうち、いずれか１つの第２シート層１１２を構成する複数個の分割シート１１２ａ’と前記いずれか１つの第２シート層１１２の上部または下部に配置される他の第２シート層１１２を構成する複数個の分割シート１１２ａ’が互いに異なる方向に配列できる。
【００５５】
即ち、多層に積層される複数個の第２シート層１１２のうち、いずれか１つの第２シート層１１２を構成する複数個の分割シート１１２ａ’は、第１方向に沿って配列されることができ、前記いずれか１つの第２シート層１１２の上部または下部に配置される他の第２シート層１１２を構成する複数個の分割シート１１２ａ’は前記第１方向と異なる第２方向に沿って配列できる。
【００５６】
具体的に、多層に積層される複数個の第２シート層１１２のうち、いずれか１つの第２シート層１１２を構成する複数個の分割シート１１２ａ’は、前記第１シート層１１１の幅方向に沿って隣り合うように配列されることができ、前記いずれか１つの第２シート層１１２の上部または下部に配置されて他の第２シート層１１２を構成する複数個の分割シート１１２ａ’は、前記第１シート層１１１の長手方向に沿って配列できる。
【００５７】
併せて、互いに積層される各々のシート層（１１１、１１２）（１１２、１１２）の間には接着層１１３が配置できる。
このような場合、前記第１シート層１１１の幅方向に沿って配列される分割シート１１２ａ’と前記第１シート層１１１の長手方向に沿って配列される分割シート１１２ａ’が積層方向に沿って交互に配置されることによって、第１シート層１１１の幅方向に沿って配列された分割シートを通じて具現された第２シート層１１２と第１シート層１１１の長手方向に沿って配列された分割シートを通じて具現された他の第２シート層１１２が積層方向に沿って交互に配置されることもできる。
【００５８】
これを通じて、第１シート層１１１の幅方向に沿って配列された分割シート１１２ａ’が第１シート層１１１の長手方向に沿って配列された分割シート１１２ａ’により各々支持されることによって、複数個の第２シート層１１２が分割シートを通じて分離された形態に具現されても互いに隣接した第２シート層１１２の間の接着力向上を図り、構造的な剛性を一層高めることができる。
【００５９】
一方、本発明に従う磁気遮蔽用ハイブリッドメタルシート４１０は非晶質合金のリボンシートを使用せず、ナノ結晶粒合金のリボンシートが多層に積層された形態に具現されることもできることを明らかにする。即ち、図１１に図示したように、ナノ結晶粒合金からなる複数個の分割シート１１２ａ’が隣り合うように配置されて１つのシート層１１２を形成し、各々のシート層１１２が接着層１１３を媒介に多層に積層された形態に具現されることもできる。この際、磁気遮蔽用ハイブリッドメタルシート４１０は、最上層と最下層には接着層１１３を媒介に付着される保護フィルム１１４を含むことができる。
【００６０】
併せて、図示してはいないが、本発明に従う磁気遮蔽用ハイブリッドメタルシートは、第２シート層１１２が図５から図１０の形態に多層に積層形成され、最上部または最下部に配置される第２シート層１１２の一側のみに前記第１シート層１１１が積層できる。このような場合、前記第１シート層１１１は図１及び図２に図示された実施形態と同様に、非晶質合金のリボンシートが２層以上の多層に積層された形態でありうることを明らかにする。
【００６１】
一方、前述した磁気遮蔽用ハイブリッドメタルシート１１０、１１０'、２１０、２１０'、３１０、４１０は、無線電力伝送モジュール１００に適用できる。即ち、前記無線電力伝送モジュール１００は、アンテナユニット１２０及び磁気遮蔽用ハイブリッドメタルシート１１０、１１０'、２１０、２１０'、３１０、４１０を含むことができる（図１２参照）。
【００６２】
前記アンテナユニット１２０は、所定の周波数帯域を使用する少なくとも１つ以上のアンテナを含むことができ、前記周波数帯域を用いて所定の機能を遂行するようにするためのものである。
【００６３】
このようなアンテナユニット１２０は、互いに異なる役割を遂行する複数個のアンテナを含むことができ、前記磁気遮蔽用ハイブリッドメタルシート１１０、１１０'、２１０、２１０'、３１０、４１０の一面に接着層を媒介に固定できる。
【００６４】
本発明において、前記アンテナは一定長さを有する導電性部材が時計方向または時計反回り方向に複数回巻線される円形、楕円形、または四角形状の平板型コイルで備えられて、前記磁気遮蔽用ハイブリッドメタルシート１１０、１１０'、２１０、２１０'、３１０、４１０の一面に固定される形態に具備できる。
【００６５】
代案に、前記アンテナはポリイミド（ＰＩ）やＰＥＴなどの合成樹脂からなる回路基板１２４の少なくとも一面に銅箔などの伝導体をループ形態にパターニングするか、または伝導性インキを使用してループ形状のパターンに形成されることもできる。
【００６６】
また、前記アンテナユニットが複数個のアンテナを含む場合、前記複数個のアンテナは平板型コイルと回路基板にパターン形成されたアンテナパターンが相互組合わせた形態に構成されることもできる。
【００６７】
この際、本発明に適用されるアンテナユニット１２０は無線電力信号を送信または受信して携帯用電子機器が必要とする電力を生産するための受信コイル（Rx coil）（２次コイル）または送信コイル（Tx coil）の役割を遂行する部分と以下に説明する他の部分が共に構成できる。
【００６８】
即ち、前記アンテナユニット１２０は無線電力を受信または送信するための少なくとも１つの無線電力伝送用アンテナ１２１を含むことができ、前記無線電力伝送用アンテナ１２１の以外に前記無線電力伝送用アンテナ１２１と異なる周波数帯域を使用する少なくとも１つの他のアンテナ１２２、１２３をさらに含むことができる。
【００６９】
一例に、前記他のアンテナ１２２、１２３は、ＭＳＴ（Magnetic Secure Transmission）用アンテナ１２２、またはＮＦＣ（Near Field Communicatino）用アンテナ１２３であって、前記アンテナユニット１２０はＭＳＴ用アンテナ１２２及びＮＦＣアンテナ１２３のうち、少なくとも１つ以上をさらに含むことができる。
【００７０】
前記磁気遮蔽用ハイブリッドメタルシート１１０、１１０'、２１０、２１０'、３１０、４１０は、前記アンテナユニット１２０の一面に配置されて前記アンテナユニット１２０で発生する磁場を遮蔽して磁場の集束度を高めることによって、所定の周波数帯域で作動するアンテナの性能を高めるためのものである。
【００７１】
このような磁気遮蔽用ハイブリッドメタルシート１１０、１１０’、２１０、２１０’、３１０、４１０は、非晶質合金のリボンシートからなる少なくとも一層の第１シート層１１１と、ナノ結晶粒合金のリボンシートからなる多層の第２シート層１１２が積層された形態に具現されるか、またはナノ結晶粒合金のリボンシートが多層に積層された形態に具現できる。
【００７２】
これを通じて、前記アンテナユニット１２０が互いに異なる周波数、特に高周波帯域と低周波帯域を使用する複数個のアンテナを全て含んでも１つのシートを通じて該当アンテナの性能を全て高めることができる。
【００７３】
このような磁気遮蔽用ハイブリッドメタルシート１１０、１１０’、２１０、２１０’、３１０、４１０は、前述した内容と同一なので、詳細な説明は省略する。
前述した磁気遮蔽用ハイブリッドメタルシート１１０、１１０’、２１０、２１０’、３１０、４１０及び無線電力伝送モジュール１００は、Ｑｉ方式に適用されることもでき、ＰＭＡ方式の無線充電に適用されることもでき、永久磁石が採用された無線充電方式にも適用できる。また、前記アンテナユニット１２０は磁気誘導方式により作動する無線電力伝送用アンテナ１２１と共に、磁気共振方式により作動するＡ４ＷＰ方式のアンテナが他のアンテナに含まれることもできる。
【００７４】
併せて、前述した無線電力伝送モジュール１００は無線電力送信モジュールの役割を遂行することもでき、無線電力受信モジュールの役割を遂行することもできる。
一例に、前記無線電力伝送モジュール１００が無線電力受信モジュールの役割を遂行する場合、携帯端末機のような携帯用電子機器本体９０のバックカバーまたはリアケース９２に付着される形態に備えられることもできることを明らかにする（図１３参照）。
【００７５】
加えて、前述した磁気遮蔽用ハイブリッドメタルシート１１０、１１０’、２１０、２１０’、３１０、４１０は、携帯端末機のような小型または携帯用電子機器の他にも、前述した方式により大面積を有する形態に具現されることによって、車両やドローンのような移動体または運搬体のバッテリーを充電するための無線電力伝送モジュール１００に適用されることもできることを明らかにする。
【００７６】
以上、本発明の一実施形態に対して説明したが、本発明の思想は本明細書に提示される実施形態に制限されず、本発明の思想を理解する当業者は同一な思想の範囲内で、構成要素の付加、変更、削除、追加などによって他の実施形態を容易に提案することができるが、これもまた本発明の思想範囲内に入るということができる。
【図１】
2019522355.tif 000003
【図２】
2019522355.tif 000004
【図３】
2019522355.tif 000005
【図４】
2019522355.tif 000006
【図５】
2019522355.tif 000007
【図６】
2019522355.tif 000008
【図７】
2019522355.tif 000009
【図８】
2019522355.tif 000010
【図９】
2019522355.tif 000011
【図１０】
2019522355.tif 000012
【図１１】
2019522355.tif 000013
【図１２】
2019522355.tif 000014
【図１３】
2019522355.tif 000015
【国際調査報告】
2019522355.tif 000016
2019522355.tif 000017
2019522355.tif 000018
2019522355.tif 000019